(57)【特許請求の範囲】
【請求項１】
前面に開口する矩形状の外箱内に内箱を組み込み、両箱間に断熱材を発泡充填して成る断熱箱体において、
前記外箱は、左右両側面を構成する側面材と、両端部がこれら側面材に固定されて底面を構成する底面材を有すると共に、
該底面材の前後辺に沿って当該底面材の前記断熱材側に固定された補強部材を備え、
該補強部材は、両端部に折曲形成されて前記底面材と所定角度を成す傾斜部と、各傾斜部の先端部に折曲形成されて起立する起立部とを有し、各起立部が前記側面材に固定されることにより、前記各補強部材の両端部は前記側面材の前記断熱材側に固定されていることを特徴とする断熱箱体。
【請求項２】
前記補強部材は、前記内箱の断熱材側に当接、若しくは、近接して対峙する支持部を有することを特徴とする請求項１に記載の断熱箱体。
【発明の詳細な説明】
【技術分野】
【０００１】
本発明は、低温ショーケースや冷蔵庫等の外箱と内箱間に断熱材を発泡充填して成る断熱箱体に関するものである。
【背景技術】
【０００２】
従来、この種の断熱箱体は、例えば特許文献１に示される如く、鋼板製の外箱と内箱間に発泡ポリウレタンなどの断熱材を現場発泡方式にて充填することにより構成されている。
【０００３】
低温ショーケースや冷蔵庫を構成する係る断熱箱体は、前面に開口する矩形状の箱体を呈しており、その底面に複数の脚部が固定されて、当該脚部を介して床面等に載置される。このような低温ショーケースや冷蔵庫等は、それ自体の重量が嵩むものであるため、底面は、相当の荷重や衝撃に耐えられる強度に構造を設計する必要がある（例えば、特許文献１参照）。
【０００４】
そこで、従来の構造について図９及び図１０を参照して説明する。図９は断熱箱体１００の底部拡大縦断側面図、図１０は断熱箱体１００の底壁１１０を構成する外面材１１１の断熱材１１３側から見た平面図を示している。断熱箱体１００の底壁１１０は、外面材１１１と内面材１１２とこれらの間に発泡充填される断熱材１１３とから構成されており、この外面材１１１の断熱材１１３側の面（即ち内面側）には、補強部材としての下フレーム１２０が取り付けられている。
【０００５】
この下フレーム１２０は、いずれも比較的厚肉の鋼板から成る前後の枠組材１２１、１２２、左右の枠組材１２３、１２４及び補強材１２５とから構成されている。いずれも周縁部を上側に屈曲させたフランジが形成されている。そして、前後に載置された枠組材１２１、１２２の両端部に左右の枠組材１２３、１２４を配置し、重合するフランジ部分をネジにて固定する。また、これら左右の枠組材１２３、１２４と略平行となるように補強材１２５を配置し、当該補強材１２５についても前後の枠組材１２１、１２２のフランジと重合する部分をネジにて固定する。これにより、略日の字状に下フレーム１２０が組み立てられる。
【０００６】
前後の枠組材１２１、１２２には、それぞれ高さを調整可能とする脚部１３０を取り付けるための固定孔１２１Ａ、１２２Ａや高さ調整用のボルトの逃がし孔１２１Ｂ、１２２Ｂが形成されている。
【先行技術文献】
【特許文献】
【０００７】
【特許文献１】特開２００６−３００６号公報
【発明の概要】
【発明が解決しようとする課題】
【０００８】
しかしながら、上述した如き従来の構成では、断熱箱体を組み立てる際には、先ず、上述したように各枠組材によって下フレームを組み立て、底壁を構成する外面材上に配置していた。この際、組み立てられた下フレームは複数の枠組材を組み合わせて構成されるものであるため、重量が嵩み大型となる。そのため、組み立て作業時において、取扱性が非常に悪いという問題があった。
【０００９】
また、略日の字状に組まれていることから、組立状況によって歪みが生じやすく、外面材に形成された脚部取付用の孔と、当該下フレームに形成された固定孔やボルト逃がし孔等とを合致させることが困難であり、作業性が悪いという問題があった。
【００１０】
本発明は、従来の技術的課題を解決するために成されたものであり、断熱箱体の底壁の強度を確保しつつ、組立作業性の向上を図ることができる断熱箱体を提供する。
【課題を解決するための手段】
【００１１】
上記課題を解決するために、本発明の断熱箱体は、前面に開口する矩形状の外箱内に内箱を組み込み、両箱間に断熱材を発泡充填して成るものであって、外箱は、左右両側面を構成する側面材と、両端部がこれら側面材に固定されて底面を構成する底面材を有すると共に、この底面材の前後辺に沿って当該底面材の断熱材側に固定された補強部材を備え、この補強部材は、両端部に折曲形成されて底面材と所定角度を成す傾斜部と、各傾斜部の先端部に折曲形成されて起立する起立部とを有し、各起立部が側面材に固定されることにより、各補強部材の両端部は側面材の断熱材側に固定されていることを特徴とする。
【００１２】
請求項２の発明は、上記発明において、補強部材は、内箱の断熱材側に当接、若しくは、近接して対峙する支持部を有することを特徴とする。
【発明の効果】
【００１３】
本発明によれば、前面に開口する矩形状の外箱内に内箱を組み込み、両箱間に断熱材を発泡充填して成る断熱箱体において、外箱は、左右両側面を構成する側面材と、両端部がこれら側面材に固定されて底面を構成する底面材を有すると共に、この底面材の前後辺に沿って当該底面材の断熱材側に固定された補強部材を備え、各補強部材の両端部は側面材の断熱材側に固定されているので、底面材の前後辺に沿って固定される補強部材によって、断熱箱体の底面の強度を向上させることができると共に、当該補強部材の両端部は、側面材の断熱材側に固定されているため、箱体としての強度を確保することができる。
【００１４】
これにより、従来の構成と比して、部品点数を著しく削減することができ、断熱箱体全体の軽量化を図ることができると共に、所定の強度を確保することが可能となる。
【００１５】
また、補強部材は、両端部に折曲形成されて底面材と所定角度を成す傾斜部と、各傾斜部の先端部に折曲形成されて起立する起立部とを有し、各起立部が側面材に固定されているので、補強部材自体が複数回折曲して形成されることで、それ自体の強度の向上を図ることができる。また、当該補強部材の起立部が側面材に当接して固定されるため、これら底面材と側面材との固定をより強固なものとすることができる。
【００１６】
また、両端部に折曲形成された傾斜部は、底面材と所定角度を成す構成とされているため、当該底面材と傾斜部との間に、当該底面材と側面材とを固定する固定手段としてのネジを収容でき、支障なくこれらの組立を行うことが可能となる。
【００１７】
請求項２の発明によれば、上記発明に加えて、補強部材は、内箱の断熱材側に当接、若しくは、近接して対峙する支持部を有するので、断熱箱体の前面開口に作業者が踏み込み、局所的に圧力が加えられた場合であっても、当該補強部材の支持部が内箱の断熱材側に当接して支持することができ、断熱箱体の底面が挫屈してしまう不都合を解消することができる。
【図面の簡単な説明】
【００１８】
【図１】本発明を適用した実施例としての低温貯蔵庫の斜視図である。
【図２】図１の低温貯蔵庫の正面図である。
【図３】図１の低温貯蔵庫の側面図である。
【図４】図１の低温貯蔵庫の断熱箱体の底部拡大縦断側面図である。
【図５】図４の部分拡大図である。
【図６】図１の低温貯蔵庫の断熱箱体の底面材を断熱材側から見た平面図である。
【図７】図１の低温貯蔵庫の一部を断面図にて示した側面図である。
【図８】図７の部分拡大図である。
【図９】断熱箱体の底部拡大縦断側面図である。
【図１０】断熱箱体の底壁を構成する外面材を断熱材側から見た平面図である。
【発明を実施するための形態】
【００１９】
以下、図面に基づき本発明の実施形態を詳述する。図１は本発明を適用した実施例としての低温貯蔵庫１の斜視図、図２は図１の低温貯蔵庫１の正面図、図３は図１の低温貯蔵庫１の側面図を示している。本実施例の低温貯蔵庫１は、例えばコンビニエンスストアやスーパーマーケットなどに設置され、冷却を必要とする食品等を貯蔵する縦型低温貯蔵庫である。低温貯蔵庫１は前面に開口する本願発明に係る断熱箱体２により構成され、この断熱箱体２内には貯蔵室３が形成されている。この貯蔵室３の前面開口（断熱箱体２の前面開口５）は、断熱箱体２のそれぞれ側端に図示しないヒンジを中心として回動自在に枢支された観音開き式の断熱扉４、４により開閉自在に閉塞されている。図中６は、断熱扉４を開閉するラッチ機構であり、７は施錠装置である。
【００２０】
断熱箱体２の天面には、前面パネル８、側面パネル９及び図示しない後面パネルによって機械室が画成されており、この機械室内には、冷却装置が設置されている。この冷却装置は、圧縮機や凝縮器、冷却器などから周知の冷媒回路が構成されており、冷却器は、断熱箱体２の天面に取り付けられた図示しない断熱性の冷却箱内に収納されている。この冷却箱内には冷気循環用送風機が配設され、貯蔵室３内と連通する冷気吐出口より冷却箱内にて冷却された冷気が貯蔵室３内に吐出され、同じく貯蔵室３内と連通する冷気吸込口より貯蔵室３内を循環した冷気が冷却箱内に帰還する構成とされる。これにより、貯蔵室３内は所定の温度に冷却される。
【００２１】
次に、本発明に係る断熱箱体２の構成について詳述する。断熱箱体２は前面に開口する矩形状の外箱１０と、当該外箱１０内に組み込まれる前面に開口する矩形状の内箱３０と、両箱１０、３０の端部を連結する樹脂製のブレーカ４１と、これら両箱１０、３０及びブレーカ４１との間に現場発泡方式にて充填された発泡ポリウレタンから成る断熱材４０とから構成されている。
【００２２】
本実施例における外箱１０は、左右両側壁を構成する側面材１１、１１と、底面を構成する底面材１２と、背面を構成する図示しない背面材と、天面を構成する図示しない天面材とから構成されている。側面材１１、底面材１２、背面材及び天面材のいずれも鋼板により構成されている。
【００２３】
側面材１１の上端、下端及び後端は、いずれも内方に向けて略直角に折曲されたフランジ１３が形成されている（図５の拡大図参照）。このフランジ１３と天面材、フランジ１３と底面材１２、及びフランジ１３と背面材とが重合した状態でネジ止めにより相互に固定されている。これにより、前面に開口した外箱１０が構成される。
【００２４】
本実施例では、前面開口の開口寸法（間口寸法）は、断熱箱体内の奥行き寸法よりも大きく形成されているものとする。そのため、底面材１２は、長手方向側に延在する辺が前面開口側若しくは背面材と固定される側となり、これと直交する辺が左右の側面材１１、１１とそれぞれ固定される側となる。
【００２５】
そして、この外箱１０を構成する底面材１２の断熱材４０側には図４乃至図６に示すように底面材１２の前後辺、即ち、長手方向に延在する辺に沿って底面材１２に補強部材３１、３２が固定されている。この補強部材３１、３２は、比較的肉厚の鋼板により構成されており、当該底面材１２の断熱材４０側とは反対側、即ち、外面側に固定される脚部材４２・・と共締めにて固定されている。
【００２６】
断熱箱体２の底面には、少なくとも四隅、本実施例では、当該四隅に加えて、長手方向の略中央に対応する位置には、高さを調整自在とする脚部材４２が取り付けられている。脚部材４２は、設置床面に当接する本体４５と取付板４３と高さ調整軸４６とから構成されている。本体４５に固定された高さ調整軸４６は、外面に図示しないねじ切りが形成されており、取付板４３に形成された固定孔内面に形成されたねじ切りと螺合することにより、取付板４３と本体４５の下面との寸法、即ち、取付板４３から設置床面までの高さ寸法を調整可能に構成されている。
【００２７】
そして、この取付板４３は、断熱箱体２の底面を構成する底面材１２に下側から宛がわれ、その四隅と底面材１２とのネジ（固定部材）４４による固定が上述した如き、底面材１２の断熱材４０側に設けられる補強部材３１又は３２と共締めとされる。尚、図６中３３は、当該ネジ４４による共締めに用いられる固定孔である。
【００２８】
また、底面材１２及び各補強部材３１、３２には、固定される脚部材４２の高さ調整軸４６が貫通自在、若しくは、螺合可能とされる軸逃がし孔３７が形成されている。これにより、脚部材４２の高さ調整に際し、当該底面材１２や補強部材３１、３２が邪魔となる不都合を解消でき、特に螺合可能に構成されている場合には、その固定強度の向上を図ることができる。
【００２９】
そして、この補強部材３１、３２の両端部は、図５の拡大図に示すように該補強部材３１、３２が固定される底面材１２と所定角度を成すように折曲して傾斜部３４が形成されている。この傾斜部３４の先端部には、上方に向けて略垂直に起立する起立部３５が折曲形成されている。この起立部３５は、底面材１２の両端側が固定される側面材１１の断熱材４０側に当接してネジ（固定部材）３６にて側面材１１に固定されている。これにより、補強部材３１、３２は、それぞれ底面材１２及びこの両端側に固定される側面材１１、１１に固定されている。
【００３０】
また、各補強部材３１、３２は、上記傾斜部３４や起立部３５が形成されている以外の部分の前後縁部（長手方向に延在する辺の縁部）は、上側に屈曲形成されて縦壁３１Ａ、３１Ｂ又は３２Ａ、３２Ｂが形成され、全体として上方に開口した断面略コ字状を呈している。このように、補強部材全体が屈曲形成されていることにより、これ自体の強度の向上が図れる。
【００３１】
特に、本実施例では、底面材１２の前辺に沿って配設される補強部材３１の前側の縦壁３１Ａは、その上端が内箱３０の断熱材４０側、及びこれと結合して設けられ、当該内箱３０の近傍に位置するブレーカ４１と当接、若しくは、近接する位置まで延在して構成され、その端部は、略直角に折曲形成されて、同様に、これらと当接、若しくは、近接して対峙する支持部３１Ｃが構成されている。
【００３２】
また、この縦壁３１Ａは、外箱１０と内箱３０との間に渡って構成されるものであるため、これらの間に充填される断熱材４０の原液を通過可能とする貫通孔３１Ｄが複数穿設されている。尚、当該貫通孔３１Ｄは、図８のみ図示する。
【００３３】
本実施例における断熱箱体２の側面を構成する側面材１１の下部には、アンカー部材（固定部材）４７が着脱可能に設けられている。アンカー部材４７は、比較的肉厚の鋼板により構成され、図３及び図５に示すように断面略Ｌ字状に折曲して形成される。一面は、コンクリートなどによって構成される当該低温貯蔵庫１の設置床面に当接して固定部材などによって固定される設置面４７Ａであり、係る設置面４７Ａと略直角を成して起立して支持面４７Ｂが構成される。
【００３４】
この支持面４７Ｂは、側面材１１の下部に当接して取り付けられるものであって、上下方向に延在する長孔４７Ｃが形成されている。この長孔４７Ｃには、ネジ（固定部材）４８が内部を移動自在とされており、断熱箱体２に設けられる脚部材４２の高さに応じてネジ４８を長孔４７Ｃ内にて移動させ、当該ネジ４８によって、アンカー部材４７を側面材１１に固定する。尚、本実施例では、前記補強部材３１、３２の起立部３５には、当該ネジ４８にてアンカー部材４７を共締めする図示しない固定孔が形成されている。これにより、アンカー部材４７は、側面材１１及び当該側面材１１に固定される補強部材３１、３２と共締めにて固定でき、取付強度の向上を図ることができる。
【００３５】
次に、本願発明に係る断熱箱体２の製造方法について説明する。先ずはじめに、外箱１０を構成する底面材１２の断熱材４０側の面の前辺に沿って補強部材３１及び後辺に沿って補強部材３２を固定する。このとき、上述したように底面材１２の下側から脚部材４２の取付部材４３を宛がい、一つの脚部材４２について４つのネジ４４にて脚部材４２の取付部材４３と底面材１２と補強部材３１又は３２とを共締めにて固定する。この際、脚部材４２の高さ調整軸４６は、底面材１２及び補強部材３１、３２に形成された軸逃がし孔３７より上方に逃がす。
【００３６】
この状態で、底面材１２の両側方に側面材１１、１１をそれぞれ宛がい、当該側面材１１の下端に形成されたフランジ１３と底面材１２の端部とを重合させ、ネジ止めにより固定する。本実施例では、図５に示すように底面材１２の上側（断熱材４０側）に側面材１１のフランジ１３が当接するように重合させて固定する。そして、底面材１２の断熱材４０側となる面に固定された補強部材３１、３２の両端に構成された起立部３５、３５を側面材１１の断熱材４０側となる面に当接させて、ネジ３６により固定する。
【００３７】
その後、底面材１２に固定された側面材１１、１１に天面材及び背面材を固定し、前面に開口する矩形状の外箱１０を完成させる。別途構成された前面に開口する内箱３０を当該外箱１０内に組み込み、ブレーカ４１を当該内箱３０と外箱１０との間に取り付ける。
【００３８】
その後、図示しない発泡治具にて外側から外箱１０を、内側から内箱３０をそれぞれ押さえつけ、その状態で断熱材４０の原液を外箱１０、内箱３０及びブレーカ４１にて囲繞される空間に注入して発泡充填する。
【００３９】
このとき、補強部材３１の縦壁３１Ａは、底面材１２と内箱３０との間に渡って起立して構成されているが、係る縦壁３１Ａには、複数の貫通孔３１Ｄが穿設されているため、当該縦壁３１Ａが邪魔となることなく、断熱箱体２の底面を構成する外箱１０の底面材１２と内箱３０との間に充填される断熱材４０の原液を全体に行き渡らせることができる。
【００４０】
そのため、補強部材３１の縦壁３１Ａによって断熱材４０の均一な充填が阻害される不都合を解消でき、全体に支障なく断熱材の原液を行き渡らせることができる。これにより、完成される断熱箱体２の強度を確保しつつ、断熱効果を確保することが可能となる。
【００４１】
このように構成された本願発明に係る断熱箱体２は、底面材１２の前後辺に沿って固定される補強部材３１、３２によって、断熱箱体２の底面の強度を向上させることができる。そして、係る断熱箱体２の底面に固定された各補強部材３１、３２を用いて、当該断熱箱体２全体を支持する脚部材４２を安定して固定することができる。
【００４２】
特に、奥行き寸法よりも開口寸法が大きくなるように構成されている断熱箱体２では、側面材１１が延在する方向よりも前面開口が延在する方向の強度が弱くなり易い傾向があるが、このように、前面開口が形成される前辺及びこれと対向する後辺に沿ってそれぞれ補強部材３１、３２が底面材１２に固定されているため、断熱箱体２の全体としての強度向上を実現できる。
【００４３】
また、本実施例では、各補強部材３１、３２の両端部に構成される起立部３５は、断熱箱体２を構成する材料として最も剛性の高い側面材１１の断熱材４０側に当接して固定されているため、箱体としての強度を確保することができる。
【００４４】
これにより、従来の如き、略日の字状に構成された補強部材を設ける構成と比して、部品点数を著しく削減することができ、生産コストの低減を図ることができる。また、断熱箱体２全体の軽量化を図ることができると共に、従来の構成と略同等の強度を確保することが可能となる。
【００４５】
特に、補強部材３１、３２は、底面材１２の前後辺のそれぞれに沿って固定され、その後、各側面材１１、１１の断熱材４０側に当該補強部材３１、３２の両端に構成された起立部３５、３５を固定するものであるため、従来の如く略日の字に組み立てられて補強部材を固定する場合と異なり、その取り回し作業性が良好となる。
【００４６】
また、略日の字に組み立てられた補強部材では、組み立て状況によって歪みが生じやすく、固定孔との合致が困難となる不都合があったが、本発明の補強部材は、前後辺それぞれに沿って固定されるものであることからこのような不都合を回避することができる。従って、組立作業性の向上を図ることができる。
【００４７】
また、本実施例における補強部材３１、３２は、両端部に折曲形成されて底面材１２と所定角度を成す傾斜部３４と、各傾斜部３４の先端部に折曲形成されて起立する起立部３５とを有し、各起立部３５が側面材に固定されているので、補強部材３１、３２自体が複数回折曲して形成することで、それ自体の強度の向上を図ることができる。
【００４８】
そして、この補強部材３１、３２の起立部３５が側面材１１の断熱材４０側に当接して固定されるため、これら底面材１２と側面材１１との固定をより強固なものとすることができる。
【００４９】
また、両端部に折曲形成された傾斜部３４は、底面材１２と所定角度を成す構成とされているため、当該底面材１２と傾斜部との間に、当該底面材１２と側面材１１（のフランジ１３）とを固定するネジを収容でき、支障なくこれらの組立を行うことが可能となる。これによっても、組立作業性の向上を図ることができる。
【００５０】
特に、本実施例では、予め補強部材３１、３２を底面材１２に固定した状態で、係る底面材１２及び補強部材３１、３２の両端部を側面材１１、１１に固定することにより、更なる組立作業性の向上を実現することができる。
【００５１】
係る組み立て順序はこれに限定されるものではなく、例えば、左右両側面を構成する側面材１１、１１に、底面を構成する底面材１２の両端部を固定した後、係る底面材１２の前後辺に沿って、底面材１２の断熱材４０側となる面と、側面材１１の断熱材４０側となる面に各補強部材３１、３２を固定することとしても、本願の発明による効果を奏することができる。
【００５２】
上述したように構成された断熱箱体２に冷却装置や扉などを設け、低温貯蔵庫１を構成する。そして、設置現場において、その床面の状況に応じて各脚部材４２の高さを調整し、床面に設置する。その後、断熱箱体２の側面材１１には、上述したようなアンカー部材４７を取り付ける。固定に用いられるネジ４８は、上述したように側面材１１に固定される補強部材３１、３２の起立部３５と共締めとされるため、強固にアンカー部材４７を固定することが可能となる。
【００５３】
このとき、アンカー部材４７は、上下に延在する長孔４７Ｃ内を固定用のネジ４８が移動自在とされているため、当該脚部材４２の高さに応じてアンカー部材４７の固定位置を調整できる。このアンカー部材４７の設置面は、当該低温貯蔵庫１の設置床面に固定部材を用いて固定される。これにより、確実に低温貯蔵庫１を設置床面に固定でき、衝撃によって転動する不都合を解消できる。
【００５４】
このように、本願実施例における断熱箱体２はその底面が脚部材４２によって、設置床面より所定寸法高く構成されることとなるが、底面材１２の前側に（前辺に沿って）固定される補強部材３１の縦壁３１Ａの上端には、内箱３０の断熱材４０側に当接、若しくは、近接してこれと対峙する支持部３１Ｃが構成されているため、断熱箱体２の前面開口５に作業者が踏み込み、局所的に圧力が加えられた場合であっても、当該補強部材３１の支持部３１Ｃが内箱３０の断熱材４０側に当接して支持することができ、断熱箱体２の底面が挫屈してしまう不都合を解消することができる。
【００５５】
また、係る補強部材３１の支持部３１Ｃは、底面材１２と組み込まれる内箱３０との間隔の寸法を規制することができ、これによって、組立作業性の向上を図ることができる。
【００５６】
尚、本実施例では、側面を構成する鋼板（外面材）と、天面を構成する鋼板（外面材）と、背面を構成する鋼板（外面材）と、底面を構成する鋼板（外面材）とは、別部材にて構成されており、これらを相互に固定することにより前面に開口する外箱を構成するものとしているが、これに限定されるものではなく、例えば、天面及び両側面を構成する外面材が屈曲形成された鋼板と、背面を構成する鋼板と、底面を構成する鋼板とから前面に開口する外箱を構成する場合であっても、本願発明による効果を奏することができる。
【符号の説明】
【００５７】
１    低温貯蔵庫
２    断熱箱体
３    貯蔵室
５    前面開口
１０    外箱
１１    側面材
１２    底面材
３０    内箱
３１、３２  補強部材
３１Ａ  ３１Ｂ  ３２Ａ、３２Ｂ  縦壁
３１Ｃ  支持部
３１Ｄ  貫通孔
３３    固定孔
３４    傾斜部
３５    起立部
３６、４４、４８  ネジ（固定部材）
３７    軸逃がし孔
４０    断熱材
４１    ブレーカ
４２    脚部材
４３    取付板
４７    アンカー部材
【図１】
0005496631.tif 000002
【図２】
0005496631.tif 000003
【図３】
0005496631.tif 000004
【図４】
0005496631.tif 000005
【図５】
0005496631.tif 000006
【図６】
0005496631.tif 000007
【図７】
0005496631.tif 000008
【図８】
0005496631.tif 000009
【図９】
0005496631.tif 000010
【図１０】
0005496631.tif 000011